(57)【要約】【課題】シート支持面に支持されるシートの枚数にかかわらず防塵カバーとシートとの間の隙間を一定として、この隙間を小さく設定することができるシート搬送装置及び画像記録装置を提供する。【解決手段】シート搬送装置３は、装置本体２と、背面給送トレイ５と、防塵カバー６と、給送ローラ７１とアーム７２とカム部材７４とを有する給送ローラアーム７０と、防塵カバー６を押圧しない下方位置と、前記下方位置よりも上方の位置であって防塵カバー６を押圧する上方位置との間で変位可能である押圧片８１とを備え、アーム７２が近接位置にあるときには、押圧片８１がカム部材７４によって下方位置に変位して防塵カバー６を押圧しないことにより、防塵カバー６が第１位置に変位し、アーム７２が離間位置にあるときには、押圧片８１がカム部材７４によって上方位置に変位して防塵カバー６を押圧することにより、防塵カバー６が第２位置に変位する。【選択図】図８
2018165213.tif 000002
【特許請求の範囲】
【請求項１】
装置本体と、
前記装置本体の側面に設けられ、シートを支持するシート支持面を有する給送トレイと、
下端部が前記装置本体に前記シートの給送方向と直交する方向に沿った第１回動軸を中心として回動可能に支持されるとともに、前記給送トレイに近接する第１位置と前記給送トレイから離間する第２位置との間で変位可能であり、前記給送トレイの前記シート支持面を覆う防塵カバーと、
前記給送トレイに支持された前記シートを前記装置本体に給送する給送ローラと、前記給送ローラを支持し、前記装置本体に前記第１回動軸と平行な第２回動軸を中心として回動可能に支持され、前記給送ローラが前記給送トレイに近接する近接位置と、前記給送ローラが前記給送トレイから離間する離間位置との間で変位可能なアームと、前記第２回動軸を中心として前記アームと一体的に回動するカム部材とを有する、給送ローラアームと、
前記防塵カバー又は前記装置本体に上下移動可能に支持され、前記防塵カバーを押圧しない下方位置と、前記下方位置よりも上方の位置であって前記防塵カバーを押圧する上方位置との間で変位可能であり、前記カム部材に当接する押圧片と、
を備え、
前記アームが前記近接位置にあるときには、前記押圧片が前記カム部材によって前記下方位置に変位して前記防塵カバーを押圧しないことにより、前記防塵カバーが前記第１位置に変位し、
前記アームが前記離間位置にあるときには、前記押圧片が前記カム部材によって前記上方位置に変位して前記防塵カバーを押圧することにより、前記防塵カバーが前記第２位置に変位する、
ことを特徴とするシート搬送装置。
【請求項２】
前記防塵カバーは、前記給送トレイの前記シート支持面に対向して配置される主カバーと、前記主カバーにおける前記シートの給送方向と直交する方向である幅方向の両端部に設けられ、前記主カバーから前記給送トレイ側へ向けて延出する側部カバーとを有している、
ことを特徴とする請求項１に記載のシート搬送装置。
【請求項３】
前記給送トレイは、前記幅方向へ移動可能であり、前記給送トレイに支持された前記シートの前記幅方向の位置を規制する一対のサイドガイドを備え、
前記側部カバーは、互いの離間寸法が最も大きくなる位置にある一対の前記サイドガイドよりも、前記幅方向の外側に配置される、
ことを特徴とする請求項２に記載のシート搬送装置。
【請求項４】
前記側部カバーは、前記給送トレイにおける前記シート支持面の前記幅方向の端部よりも内側に配置される、
ことを特徴とする請求項２又は請求項３に記載のシート搬送装置。
【請求項５】
前記給送トレイは、前記シート支持面の前記幅方向の両端部に形成され、前記シート支持面から前記主カバー側へ向けて突出する突出壁を有し、
前記突出壁は、前記第１回動軸の軸方向から見て、前記防塵カバーが前記第２位置にあるときに前記突出壁と前記側部カバーとが重複する高さに形成されている、
ことを特徴とする請求項２〜請求項４の何れか一項に記載のシート搬送装置。
【請求項６】
請求項１〜請求項５の何れか一項に記載のシート搬送装置と、前記シート搬送装置により搬送される前記シートに画像を記録する画像記録部とを備える、
ことを特徴とする画像記録装置。
【発明の詳細な説明】
【技術分野】
【０００１】
本発明は、シートを支持する給送トレイが装置本体に設けられたシート搬送装置及び画像記録装置に関する。
【背景技術】
【０００２】
従来、シートを支持する給送トレイが装置本体の背面に設けられ、前記給送トレイが支持するシートを装置本体内の画像記録部に搬送し、画像記録部に搬送されたシートに画像を記録する画像記録装置が知られている（特許文献１参照）。
また、シートを支持する給送トレイを備えた画像記録装置においては、装置本体における給送トレイが設けられた部分の開口部から装置本体内に砂塵等の異物が進入することを防ぐために、給送トレイのシート支持面を覆う防塵カバーが設けられたものがある（特許文献２参照）。
【０００３】
シート支持面を覆う防塵カバーは、シート支持面に支持されるシートに接触するとシートを搬送する際に搬送負荷が生じるため、シート支持面に支持されるシートに接触しないように、シートに対してシートの厚み方向に隙間を設けて配置されている。
この場合、シート支持面に支持されるシートの枚数にかかわらず、防塵カバーとシートとが接触しないようにするためには、防塵カバーとシートとの間に設けられる隙間は、給送トレイに支持可能な最大枚数のシートが支持されているときでも、防塵カバーとシートとが接触しないだけの大きさに設定する必要がある。
【先行技術文献】
【特許文献】
【０００４】
【特許文献１】特開２０１４−２０９７１０号公報
【特許文献２】特開２００５−８６６４０号公報
【発明の概要】
【発明が解決しようとする課題】
【０００５】
前述のように、防塵カバーとシートとの間に設けられる隙間を、シート支持面に最大枚数のシートが支持されているときに防塵カバーとシートとが接触しないだけの大きさに設定した場合、シート支持面に支持されるシートの枚数が少なくなると、防塵カバーとシートとの間の隙間が大きくなりすぎて、この隙間から給送トレイに砂塵等の異物が進入してしまうおそれがある。
【０００６】
そこで、本発明においては、シート支持面に支持されているシートの枚数にかかわらず防塵カバーとシートとの間の隙間を一定として、この隙間を小さく設定することができるシート搬送装置及び画像記録装置を提供するものである。
【課題を解決するための手段】
【０００７】
上記課題を解決するシート搬送装置及び画像記録装置は、以下の特徴を有する。
即ち、シート搬送装置は、装置本体と、前記装置本体の側面に設けられ、シートを支持するシート支持面を有する給送トレイと、下端部が前記装置本体に前記シートの給送方向と直交する方向に沿った第１回動軸を中心として回動可能に支持されるとともに、前記給送トレイに近接する第１位置と前記給送トレイから離間する第２位置との間で変位可能であり、前記給送トレイの前記シート支持面を覆う防塵カバーと、前記給送トレイに支持された前記シートを前記装置本体に給送する給送ローラと、前記給送ローラを支持し、前記装置本体に前記第１回動軸と平行な第２回動軸を中心として回動可能に支持され、前記給送ローラが前記給送トレイに近接する近接位置と、前記給送ローラが前記給送トレイから離間する離間位置との間で変位可能なアームと、前記第２回動軸を中心として前記アームと一体的に回動するカム部材とを有する、給送ローラアームと、前記防塵カバー又は前記装置本体に上下移動可能に支持され、前記防塵カバーを押圧しない下方位置と、前記下方位置よりも上方の位置であって前記防塵カバーを押圧する上方位置との間で変位可能であり、前記カム部材に当接する押圧片と、を備え、前記アームが前記近接位置にあるときには、前記押圧片が前記カム部材によって前記下方位置に変位して前記防塵カバーを押圧しないことにより、前記防塵カバーが前記第１位置に変位し、前記アームが前記離間位置にあるときには、前記押圧片が前記カム部材によって前記上方位置に変位して前記防塵カバーを押圧することにより、前記防塵カバーが前記第２位置に変位する。
【発明の効果】
【０００８】
本発明によれば、シート支持面に支持されているシートの枚数にかかわらず防塵カバーとシートとの間の隙間を一定として、この隙間を小さく設定することができ、給送トレイの防塵効果を高めることができる。
【図面の簡単な説明】
【０００９】
【図１】複合機を示す斜視図である。
【図２】背面給送トレイ及び防塵カバーを示す斜視図である。
【図３】防塵カバーが第１位置にある状態の背面給送トレイを示す側面断面図である。
【図４】防塵カバーが第１位置にある状態の背面給送トレイを後側から見た斜視図である。
【図５】背面給送トレイ及び防塵カバーをシートの給送方向における上流側から見た断面図である。
【図６】防塵カバーを後側から見た斜視図である。
【図７】押圧片及び支持ケースを後側から見た斜視図である。
【図８】防塵カバーが第２位置にある状態の背面給送トレイを示す側面断面図である。
【図９】防塵カバーが第２位置にある状態の背面給送トレイを後側から見た斜視図である。
【図１０】ａ）は防塵カバーが第１位置にある状態の背面給送トレイをシートの給送方向における上流側から見た図であり、ｂ）は防塵カバーが第１位置にある状態の背面給送トレイを示す側面断面図である。
【図１１】ａ）は防塵カバーが第２位置にある状態の背面給送トレイをシートの給送方向における上流側から見た図であり、ｂ）は防塵カバーが第２位置にある状態の背面給送トレイを示す側面断面図である。
【図１２】ａ）は突出壁が形成された背面給送トレイをシートの給送方向における上流側から見た図であり、ｂ）は突出壁が形成された背面給送トレイを示す側面断面図である。
【図１３】突出壁が左右方向において側部カバーの外側と内側との両方に形成された背面給送トレイをシートの給送方向における上流側から見た図である。
【発明を実施するための形態】
【００１０】
次に、本発明を実施するための形態を、添付の図面を用いて説明する。
【００１１】
[複合機の概略構成]
図１〜図４に示す複合機１は、本発明に係る画像記録装置を備えた複合機の一実施形態であり、下部に備えられた前記画像記録装置の一例としてのプリンタ部Ｐと、プリンタ部Ｐの上方に配置されたスキャナ部Ｓとを一体的に備えている。複合機１は、プリンタ機能、スキャナ機能、コピー機能、及びファクシミリ機能等を有しており、プリンタ機能を有するプリンタ部Ｐは、インクジェット記録方式のプリンタに構成されている。
以下の説明では、図１に示すように、複合機１が使用可能に設置された状態を基準として、前後方向、左右方向、上下方向の各方向を規定する。
【００１２】
プリンタ部Ｐにおいては、複合機１に接続されたコンピュータ、デジタルカメラ及びＵＳＢメモリ等の外部機器、並びに複合機１に装着されたメモリーカード等の各種記憶媒体から入力される画像データ等に基づいて、記録用紙等のシート１８に画像等を記録する。
【００１３】
プリンタ部Ｐは略直方体状に形成される装置本体２を有しており、装置本体２の前面における左右中央部には開口部４が形成されている。開口部４内には、シート１８を略水平な姿勢で支持する前面給送トレイ２０及び前面給送トレイ２０の上面に形成される排出トレイ２１が設けられている。また、装置本体２の前面には、複合機１の状態や機能等を表示する表示部及び複合機１に対する入力操作を行う操作部を有した操作パネル２２が設けられている。
【００１４】
装置本体２は後端部にトレイ支持部２５を有しており、シート１８を支持する背面給送トレイ５がトレイ支持部２５に設けられている。装置本体２は、前面給送トレイ２０及び背面給送トレイ５に支持されているシート１８に画像等を記録する記録部２４を収容している。
プリンタ部Ｐは、背面給送トレイ５に支持されるシート１８を記録部２４へ搬送するためのシート搬送装置３を備えている。
【００１５】
[シート搬送装置の構成]
図１〜図４に示すように、シート搬送装置３は、装置本体２と、背面給送トレイ５と、覆う防塵カバー６と、給送ローラアーム７０と、押圧片８１とを備えている。
背面給送トレイ５は、装置本体２のトレイ支持部２５に設けられ、シート１８を支持するシート支持面５１を有している。防塵カバー６は、背面給送トレイ５のシート支持面５１を覆うカバー部材である。
【００１６】
給送ローラアーム７０は、背面給送トレイ５に支持されたシート１８を装置本体２に給送する給送ローラ７１と給送ローラ７１を支持するアーム７２とを有している。押圧片８１は、防塵カバー６に上下移動可能に支持されている。背面給送トレイ５は、装置本体２の側面に設けられる給送トレイの一例である。
シート搬送装置３は、背面給送トレイ５に支持されるシート１８を給送ローラ７１により一枚ずつ装置本体２内へ向けて給送する装置である。
【００１７】
装置本体２のトレイ支持部２５は、互いに離間して左右に配置される一対の側壁部２５ａと、一対の側壁部２５ａの間に配置される後側面部２５ｂとを有している。
背面給送トレイ５は、一対の側壁部２５ａの間に配置されており、側壁部２５ａにより支持されている。背面給送トレイ５は、上方へいくに従って後方へ向かう傾斜姿勢にて支持されており、後側面部２５ｂから後ろ斜め上方へ延出している。
【００１８】
背面給送トレイ５のシート支持面５１は、下方へいくに従って装置本体２側へ近づく方向に傾斜している。シート１８は、シート支持面５１により傾斜姿勢で支持される。背面給送トレイ５の下端部には、シート支持面５１に支持されるシート１８の下端が当接する底面５２が形成されている。
【００１９】
背面給送トレイ５の下端部における底面５２よりも装置本体２側には給送口５３が形成されており、給送ローラ７１により給送されるシート１８は、給送口５３を通じて装置本体２内へ搬送される。装置本体２内へ搬送されたシート１８には、記録部２４により画像等が記録される。
【００２０】
シート支持面５１には、左右方向に移動可能であり、シート１８の幅方向の位置を規制する一対のサイドガイド５５が設けられている。シート搬送装置３においては、シート支持面５１に支持されるシート１８の幅方向のサイズに応じてサイドガイド５５を左右方向に移動させることで、シート幅が異なる複数種類のシート１８をシート支持面５１に支持することが可能となっている。なお、シート搬送装置３においては、シート１８の搬送方向と直交する方向が左右方向であり、シート１８の左右方向が幅方向である。
【００２１】
背面給送トレイ５は、背面給送トレイ５の上端部からシート支持面５１に沿った斜め上方の方向へ延出する補助アーム５６を有している。補助アーム５６は、シート支持面５１に支持されるシート１８のシート支持面５１よりも上方の部分を支持する支持部材である。補助アーム５６は、背面給送トレイ５から延出した状態と、背面給送トレイ５に収容された状態とに変位可能に構成されている。
【００２２】
装置本体２のトレイ支持部２５は、背面給送トレイ５のシート支持面５１に対向して配置される防塵カバー支持部材２５ｃを有している。防塵カバー支持部材２５ｃは、シート支持面５１から離間した位置において一対の側壁部２５ａに支持されている。
【００２３】
給送ローラアーム７０は、背面給送トレイ５と防塵カバー支持部材２５ｃとの間に配置されている。給送ローラアーム７０のアーム７２は、防塵カバー支持部材２５ｃに第２回動軸７２ａを中心として回動可能に支持されている。第２回動軸７２ａは、左右方向に沿った方向を軸方向とする回動軸である。
【００２４】
アーム７２は、第２回動軸７２ａを中心として回動することにより、給送ローラ７１が背面給送トレイ５のシート支持面５１に近接する近接位置（図３に示す位置）と、給送ローラ７１が背面給送トレイ５のシート支持面５１から離間する離間位置（図８に示す位置）との間で変位可能に構成されている。アーム７２は、付勢部材７６により、給送ローラがシート支持面５１に近接する側へ付勢されている。付勢部材７６は、例えば装置本体２とアーム７２との間に掛け渡されるトーションバネにて構成されている。
【００２５】
シート搬送装置３は駆動手段であるモータ（不図示）を備えており、アーム７２の内部には、前記モータからの駆動力を給送ローラ７１に伝達する駆動力伝達機構が収容されている。給送ローラ７１は、前記駆動力伝達機構を通じて伝達される前記モータからの駆動力により駆動される。
【００２６】
給送ローラアーム７０は、第２回動軸７２ａを中心としてアーム７２と一体的に回動するレバー７３を有している。レバー７３は、第２回動軸７２ａからアーム７２が延びる方向とは異なる方向へ突出している。本実施形態においては、レバー７３は、アーム７２が延びる方向と略反対の方向へ突出している。
レバー７３には、第２回動軸７２ａを中心としてアーム７２と一体的に回動するカム部材７４が形成されている。
【００２７】
シート搬送装置３においては、レバー７３を押圧して図３における時計回り方向へ回動させることで、アーム７２を前記付勢部材７６の付勢力に抗して時計回り方向へ回動させることができる。アーム７２は、前記付勢部材７６の付勢力に抗して時計回り方向へ回動することで、近接位置から離間位置へ変位する。
【００２８】
また、シート支持面５１に支持されるシート１８は、シート支持面５１と給送ローラ７１との間に介在することとなる。従って、シート支持面５１に支持されるシート１８の枚数が少ないときには、アーム７２は前記付勢部材７６の付勢力によって図３における反時計回り方向へ回動して、給送ローラ７１がシート支持面５１に近接する近接位置に変位する。逆に、シート支持面５１に支持されるシート１８の枚数が多いときには、アーム７２は前記付勢部材７６の付勢力に抗して図３における時計回り方向へ回動して、給送ローラ７１がシート支持面５１から離間する離間位置に変位する（図８参照）。
【００２９】
防塵カバー６は、背面給送トレイ５のシート支持面５１を覆うことにより、背面給送トレイ５の給送口５３等から装置本体２内に砂塵等の異物が進入することを抑制するためのカバー部材である。防塵カバー６は、下端部が装置本体２の防塵カバー支持部材２５ｃに第１回動軸６ａを中心として回動可能に支持されている。
【００３０】
防塵カバー６は、第１回動軸６ａを中心として回動することにより、背面給送トレイ５に近接する第１位置と背面給送トレイ５から離間する第２位置との間で変位可能に構成されている。第１回動軸６ａは、左右方向に沿った方向を軸方向とする回動軸である。つまり、第１回動軸６ａと第２回動軸７２ａとは平行に配置されている。
【００３１】
防塵カバー６は、主カバー６ｂと、側部カバー６ｃと、端壁部６ｄとを有している。主カバー６ｂは、背面給送トレイ５のシート支持面５１に対向して配置されている。側部カバー６ｃは、主カバー６ｂの左右両端部に設けられ、主カバー６ｂから背面給送トレイ５のシート支持面５１側へ向けて延出している。端壁部６ｄは、主カバー６ｂの上端部に設けられ、主カバー６ｂから背面給送トレイ５のシート支持面５１側へ向けて延出している。防塵カバー６の上端部と、背面給送トレイ５の上端部とは、略同じ高さ位置に位置している。
【００３２】
このように、防塵カバー６が側部カバー６ｃ及び端壁部６ｄを有していることで、背面給送トレイ５の側方及び上方から装置本体２内に砂塵等の異物が進入することを抑制することが可能となっている。
【００３３】
また、端壁部６ｄにおけるシート支持面５１側の端部には、矩形状の切欠き部６ｅが形成されている。切欠き部６ｅは、左右方向において、シート支持面５１が支持可能な最大の幅サイズのシート１８の範囲にわたって形成されており、シート支持面５１に支持されるシート１８が端壁部６ｄと接触しないように構成されている。
【００３４】
つまり、シート支持面５１に支持されるシート１８と、端壁部６ｄの切欠き部６ｅが形成された部分との間には隙間が形成されるように構成されている。
このように、防塵カバー６の端壁部６ｄが、シート支持面５１に支持されるシート１８と接触しないように構成することで、給送ローラ７１によりシート１８を搬送する際に、防塵カバー６による搬送負荷が生じないようにしている。
【００３５】
図２、図５に示すように、防塵カバー６の一対の側部カバー６ｃは、互いの離間寸法が最も大きくなる位置にあるときの一対のサイドガイド５５、即ち背面給送トレイ５が支持可能なシート１８のうち、幅方向のサイズが最も大きなシート１８を支持可能な状態にあるときの一対のサイドガイド５５よりも、左右方向においてそれぞれ外側に配置されている。換言すれば、背面給送トレイ５が支持可能なシート１８のうち、幅方向のサイズが最も大きなシート１８を支持可能な状態にあるときの一対のサイドガイド５５は、防塵カバー６の主カバー６ｂ及び一対の側部カバー６ｃにより覆われるのである。
【００３６】
従って、背面給送トレイ５が支持可能な最大の幅サイズのシート１８を支持しているときでも、防塵カバー６により背面給送トレイ５を覆うことが可能となっている。これにより、背面給送トレイ５が何れの幅サイズのシート１８を支持しているときでも、給送口５３を通じて装置本体２内に砂塵等の異物が進入することを抑制可能である。
【００３７】
また、防塵カバー６の側部カバー６ｃは、左右方向において、背面給送トレイ５におけるシート支持面５１の左右の端部５１ａよりも内側に配置されている。
これにより、左右方向において、背面給送トレイ５の幅方向の端部５１ａと側部カバー６ｃとの間に隙間が生じることがなく、装置本体２内への砂塵等の異物の進入を抑制する効果を高めることが可能となっている。
【００３８】
図３、図６、図７に示すように、防塵カバー６は、主カバー６ｂにおけるシート支持面５１と対向する側の面に押圧片支持部６１を有しており、押圧片支持部６１により押圧片８１が支持ケース８２を介して支持されている。
押圧片支持部６１は支持ケース８２の左右両側方に配置されており、押圧片支持部６１の上端部には凹部６１ａが形成されている。支持ケース８２の左右両側面には、それぞれ左右外側へ突出する突起８２ａが形成されており、突起８２ａが凹部６１ａに嵌合することで、支持ケース８２が押圧片支持部６１に装着されている。
【００３９】
支持ケース８２には上下方向に貫通する貫通孔８２ｂが形成されており、貫通孔８２ｂに押圧片８１が摺動可能に嵌挿されている。押圧片８１は上下方向に延出する棒状部材にて形成されており、押圧片８１の下端部がカム部材７４に当接する当接部８１ａとして構成されている。
【００４０】
支持ケース８２の貫通孔８２ｂに嵌装された押圧片８１においては、当接部８１ａが支持ケース８２の下方へ突出しており、上端部８１ｂが支持ケース８２の上方に突出している。押圧片８１における上端部８１ｂの左右側面には、左右側面から左右外側に突出するストッパ８１ｃが形成されている。
【００４１】
ストッパ８１ｃは支持ケース８２の上端面に係止可能に構成されており、ストッパ８１ｃが支持ケース８２の上端面に係止することで、押圧片８１がそれ以上下方へ摺動することを規制している。これにより、当接部８１ａが支持ケース８２の下方へ突出した状態で押圧片８１が支持ケース８２に支持された状態を保持することが可能となっている。
支持ケース８２に支持された押圧片８１の当接部８１ａに上向きの力が加わると、押圧片８１は貫通孔８２ｂ内を摺動して上方へ移動する。
【００４２】
つまり、押圧片８１は、ストッパ８１ｃが支持ケース８２の上端面に係止して、当接部８１ａが支持ケース８２の下方へ突出した状態となる下方位置と、下方位置よりも上方に移動して当接部８１ａが支持ケース８２の貫通孔８２ｂ内に収容された状態となる上方位置との間で変位可能に構成されている。
押圧片８１は、下方位置に変位しているときには防塵カバー６を押圧しない。また、押圧片８１は、上方位置に変位しているときには防塵カバー６の主カバー６ｂに当接して、防塵カバー６を上方へ押圧する。
【００４３】
支持ケース８２を介して防塵カバー６の押圧片支持部６１に支持される押圧片８１はカム部材７４の上方に位置している。そして、給送ローラアーム７０のアーム７２が近接位置に変位しているときには、カム部材７４は押圧片８１を押圧せず、アーム７２が離間位置に変位しているときには、カム部材７４が押圧片８１の当接部８１ａに当接して、押圧片８１を上方へ押圧するように構成されている。
【００４４】
なお、本実施形態においては、支持ケース８２を防塵カバー６に装着して、押圧片８１を防塵カバー６により支持するように構成しているが、支持ケース８２を装置本体２側に装着して、押圧片８１を装置本体２により支持するように構成することも可能である。
【００４５】
このように構成されるシート搬送装置３においては、図３、図４に示すように、背面給送トレイ５に支持されるシート１８の枚数が少ないときには、給送ローラアーム７０のアーム７２はシート支持面５１に近接する近接位置に変位していて、カム部材７４は押圧片８１の当接部８１ａに当接しておらず、押圧片８１はストッパ８１ｃが支持ケース８２の上端面に係止する下方位置に変位した状態となっている。なお、図３、図４においては、例えば１枚のシート１８が背面給送トレイ１８に支持されている状態を示している。
【００４６】
この状態では、防塵カバー６は背面給送トレイ５に近接する第１位置に変位しており、防塵カバー６の側部カバー６ｃが背面給送トレイ５のシート支持面５１に当接して、防塵カバー６の左右両端部における主カバー６ｂとシート支持面５１との間は、全体的に略隙間がない状態で側部カバー６ｃに覆われている。
【００４７】
一方、図８、図９に示すように、背面給送トレイ５に支持されるシート１８の枚数が多いときには、給送ローラアーム７０のアーム７２はシート支持面５１から離間する離間位置に変位する。アーム７２が離間位置にあるときには、カム部材７４が押圧片８１の当接部８１ａに当接して押圧片８１を上方へ押圧し、押圧片８１は防塵カバー６を上方へ押圧する上方位置に変位した状態となる。なお、図８、図９においては、例えば支持可能な最大枚数のシート１８が背面給送トレイ５に支持されている状態を示している。
【００４８】
この状態では、防塵カバー６の主カバー６ｂが押圧片８１により上方に押圧されることにより、防塵カバー６が下端部の第１回動軸６ａを中心として図８における反時計回り方向へ回動して、背面給送トレイ５から離間する第２位置に変位する。
【００４９】
また、給送ローラアーム７０におけるアーム７２の回動位置は、背面給送トレイ５に支持されるシート１８の枚数に応じて変化し、カム部材７４は第２回動軸７２ａを中心としてアーム７２と一体的に回動するため、カム部材７４による押圧片８１の上方への押圧量はアーム７２の回動位置に応じて変動することとなる。
【００５０】
従って、押圧片８１により上方へ押圧されることによって第１位置から第２位置に変位する防塵カバー６の回動位置は、アーム７２の回動位置、即ち背面給送トレイ５に支持されるシート１８の枚数に応じて変化する。例えば、防塵カバー６は、背面給送トレイ５に支持されるシート１８の枚数が少ないほど第１位置に近い回動位置に変位し、背面給送トレイ５に支持されるシート１８の枚数が多いほど第２位置に近い回動位置に変位することとなる。
【００５１】
この場合、背面給送トレイ５に支持されるシート１８の枚数と、防塵カバー６の回動位置との関係は、例えば防塵カバー６における端壁部６ｄの切欠き部６ｅが形成された部分とシート支持面５１に支持されるシート１８との間の隙間の大きさが、防塵カバー６が第１位置と第２位置との間で変位する際に一定になるように設定されている。これは、アーム７２が回動の回動量により変動するカム部材７４による押圧片８１の押圧量を、前記隙間が一定となるように調節することにより実現可能である。
【００５２】
このように、シート搬送装置３においては、防塵カバー６が、図１０に示すようにシート支持面５１に近接する方向へ回動して第１位置にある状態と、図１１に示すようにシート支持面５１から離間する方向へ回動して第２位置にある状態との間で変位する過程において、端壁部６ｄの切欠き部６ｅが形成された部分とシート支持面５１に支持されるシート１８との間の隙間ｄが、常に一定になるように構成されている。なお、図１０、図１１では、図面の簡略化のため、サイドガイド５５の図示は省略されている。
【００５３】
従って、隙間ｄを小さく設定したとしても、防塵カバー６が第１位置と第２位置との間で変位する際にシート支持面５１に支持されるシート１８に接触することがなく、シート１８の搬送負荷を増加させることなく、背面給送トレイ５の防塵効果を高めることが可能となっている。
つまり、シート搬送装置３においては、シート支持面５１に支持されているシート１８の枚数にかかわらず防塵カバー６とシート１８との間の隙間を一定として、この隙間を小さく設定することができ、背面給送トレイ５の防塵効果を高めることができる。
【００５４】
[背面給送トレイの別実施形態]
図１１に示すように、背面給送トレイ５に支持されるシート１８の枚数が多く、防塵カバー６が第２位置に変位した状態では、防塵カバー６はシート支持面５１から離間しており、防塵カバー６の側部カバー６ｃとシート支持面５１との間には隙間が生じている。
側部カバー６ｃとシート支持面５１との間に隙間が存在していると、その隙間から背面給送トレイ５内に砂塵等の異物が進入するおそれがある。
従って、背面給送トレイ５においては、側部カバー６ｃとシート支持面５１との間の隙間から異物が進入することを抑制するために、次のように構成することができる。
【００５５】
例えば、図１２に示すように、背面給送トレイ５におけるシート支持面５１の左右方向両端部に、シート支持面５１から主カバー６ｂ側へ向けて突出する突出壁５７を形成することができる。突出壁５７は、例えば左右方向において防塵カバー６の側部カバー６ｃよりも外側に配置することができるが、シート支持面５１に支持されるシート１８に干渉することがなければ、側部カバー６ｃよりも左右方向内側に配置することも可能である。
【００５６】
突出壁５７は、第１回動軸６ａの軸方向から見て、少なくとも防塵カバー６が第２位置にあるときに突出壁５７と側部カバー６ｃとが重複する高さに形成されている。なお、突出壁５７の高さとは、シート１８の給送方向と直交する方向であって、シート支持面５１から離間する方向の長さのことである。
【００５７】
このように、突出壁５７を、少なくとも突出壁５７と側部カバー６ｃとが重複する高さに形成することで、第１回動軸６ａの軸方向から見て、側部カバー６ｃとシート支持面５１との間の隙間を塞ぐことができる。これにより、砂塵等の異物が側部カバー６ｃとシート支持面５１との間の隙間から背面給送トレイ５内に進入することを抑制することが可能となる。
【００５８】
また、突出壁５７は、シート１８の給送方向において、少なくとも側部カバー６ｃが形成されている範囲の全体にわたって形成することが好ましい。
このように、突出壁５７を、少なくとも側部カバー６ｃが形成されている範囲の全体にわたって形成することで、側部カバー６ｃとシート支持面５１との間の隙間を全体的に塞ぐことができる。これにより、砂塵等の異物が側部カバー６ｃとシート支持面５１との間の隙間から背面給送トレイ５内に進入することを抑制する効果を高めることができる。なお、図１２では、図面の簡略化のため、サイドガイド５５の図示は省略されている。
【００５９】
[背面給送トレイにおける突出壁の別実施形態]
また、図１３に示すように、突出壁５７は、左右方向において側部カバー６ｃの外側と内側との両方に形成することもできる。
このように、突出壁５７を側部カバー６ｃの左右外側と左右内側との両方に形成することで、側部カバー６ｃとシート支持面５１との間に隙間が形成されている部分における、背面給送トレイ５の外側から内側へ至る経路の長さを大きくすることができる。これにより、背面給送トレイ５における防塵効果をさらに高めることが可能となる。なお、図１３では、図面の簡略化のため、サイドガイド５５の図示は省略されている。
【００６０】
[本実施形態における効果]
本実施形態においては、画像記録装置１は以下のようなシート搬送装置３を備えている。
つまり、シート搬送装置３は、装置本体２と、装置本体２の後側面に設けられ、シート１８を支持するシート支持面５１を有する背面給送トレイ５と、下端部が第１回動軸６ａを中心として回動可能に支持されるとともに、背面給送トレイ５に近接する第１位置と背面給送トレイ５から離間する第２位置との間で変位可能であり、シート支持面５１を覆う防塵カバー６と、給送ローラ７１と、給送ローラ７１が背面給送トレイに近接する近接位置と給送ローラ７１が背面給送トレイ５から離間する離間位置との間で変位可能なアーム７２と、アーム７２と一体的に回動するカム部材７４とを有する給送ローラアーム７０と、防塵カバー６又は装置本体２に上下移動可能に支持され、防塵カバー６を押圧しない下方位置と、前記下方位置よりも上方の位置であって防塵カバー６を押圧する上方位置との間で変位可能であり、カム部材７４に当接する押圧片８１と、を備えている。そして、アーム７２が前記近接位置にあるときには、押圧片８１がカム部材７４によって前記下方位置に変位して防塵カバー６を押圧しないことにより、防塵カバー６が前記第１位置に変位し、アーム７２が前記離間位置にあるときには、押圧片８１がカム部材７４によって前記上方位置に変位して防塵カバー６を押圧することにより、防塵カバー６が前記第２位置に変位する。
【００６１】
このような構成により、シート支持面５１に支持されるシート１８の枚数が少ないときにはアーム７２が近接位置に変位するため防塵カバー６が第１位置に変位し、シート支持面５１に支持されるシート１８の枚数が多いときにはアーム７２が離間位置に変位するため防塵カバー６が第２位置に変位することとなる。つまり、シート支持面５１に支持されるシート１８の枚数に応じて回動する給送ローラアーム７０の変位に連動して防塵カバー６が変位するため、シート支持面５１に支持されるシート１８の枚数が少ないときと多いときとで、シート支持面５１に支持されるシート１８と防塵カバー６における端壁部６ｄとの間の間隔を一定にすることができる。これにより、前記間隔を小さく設定することが可能となって、背面給送トレイ５に対する防塵効果を高めることが可能である。
【００６２】
また、防塵カバー６は、背面給送トレイ５のシート支持面５１に対向して配置される主カバー６ｂと、主カバー６ｂにおけるシート１８の給送方向と直交する方向である幅方向の両端部に設けられ、主カバー６ｂから背面給送トレイ５のシート支持面５１側へ向けて延出する側部カバー６ｃとを有している。
これにより、背面給送トレイ５の側方から砂塵等の異物が進入することを抑制でき、背面給送トレイ５に対する防塵効果を高めることができる。
【００６３】
また、背面給送トレイ５は、前記幅方向へ移動可能であり、背面給送トレイ５に支持されたシート１８の前記幅方向の位置を規制する一対のサイドガイド５５を備え、側部カバー６ｃは、互いの離間寸法が最も大きくなる位置にある一対のサイドガイド５５よりも、幅方向の外側に配置される。
これにより、背面給送トレイ５が何れの幅サイズのシート１８を支持しているときでも、防塵カバー６により背面給送トレイ５を覆うことができ、背面給送トレイ５内に砂塵等の異物が進入することを抑制可能である。
【００６４】
また、側部カバー６ｃは、背面給送トレイ５におけるシート支持面５１の前記幅方向の端部よりも内側に配置される。
これにより、前記幅方向において、背面給送トレイ５の幅方向端部と側部カバー６ｃとの間に隙間が生じないため、背面給送トレイ５内への砂塵等の異物の進入を抑制することができ、背面給送トレイ５に対する防塵効果を高めることができる。
【００６５】
また、背面給送トレイ５は、シート支持面５１の前記幅方向の両端部に形成され、シート支持面５１から主カバー６ｂ側へ向けて突出する突出壁５７を有し、突出壁５７は、第１回動軸６ａの軸方向から見て、防塵カバー６が第２位置にあるときに突出壁５７と側部カバー６ｃとが重複する高さに形成されている。
これにより、シート支持面５１に支持されるシート１８の枚数が多く、防塵カバー６がシート支持面５１から離間する第２位置にあって、側部カバー６ｃとシート支持面５１との間に隙間が生じたときでも、突出壁５７により前記隙間を塞ぐことができる。従って、背面給送トレイ５に対する防塵効果を高めることができる。
【符号の説明】
【００６６】
１    画像記録装置
２    装置本体
３    シート搬送装置
５    背面給送トレイ
６    防塵パネル
６ａ  第１回動軸
６ｂ  主カバー
６ｃ  側部カバー
６ｄ  端壁部
６ｅ  切欠き部
１８    シート
２４    記録部
２５    トレイ支持部
２５ｂ  後側面部
２５ｃ  防塵カバー支持部材
５１    シート支持面
５５    サイドガイド
５７    突出壁
７０    給送ローラアーム
７１    給送ローラ
７２    アーム
７２ａ  第２回動軸
７３    レバー
７４    カム部材
８１    押圧片
Ｐ    プリンタ部
【図１】
2018165213.tif 000003
【図２】
2018165213.tif 000004
【図３】
2018165213.tif 000005
【図４】
2018165213.tif 000006
【図５】
2018165213.tif 000007
【図６】
2018165213.tif 000008
【図７】
2018165213.tif 000009
【図８】
2018165213.tif 000010
【図９】
2018165213.tif 000011
【図１０】
2018165213.tif 000012
【図１１】
2018165213.tif 000013
【図１２】
2018165213.tif 000014
【図１３】
2018165213.tif 000015